(57)【要約】【課題】  局所的なＯＳＤ表示を行う際にも、周辺の背景画像に溶け込まないようなＯＳＤ表示装置を提供する。【解決手段】  表示画像の上にＯＳＤ表示として任意の画像または文字を上描き表示させるＯＳＤ表示装置であって、ＯＳＤ表示の情報となるＯＳＤ信号を生成するＯＳＤ生成回路１１と、表示画像上のＯＳＤ表示周辺の色相に関する情報を抜き取る抜き取り回路１２と、抜き取り回路１２により抜き取られた情報とＯＳＤ生成回路１１の生成するＯＳＤ信号の色相を比較する色相比較回路１３と、色相比較回路１３の比較結果に基づいて、ＯＳＤ信号の色相を制御する色相制御回路１４とを備えた。【選択図】  図１
2006033667.tif 000002
【特許請求の範囲】
【請求項１】
表示画像の上にＯＳＤ表示として任意の画像または文字を上描き表示させるＯＳＤ表示装置であって、
前記ＯＳＤ表示の情報となるＯＳＤ信号を生成するＯＳＤ生成回路と、
前記表示画像上の前記ＯＳＤ表示周辺の色相に関する情報を抜き取る抜き取り回路と、
前記抜き取り回路により抜き取られた情報と前記ＯＳＤ生成回路の生成するＯＳＤ信号の色相とを比較する色相比較回路と、
前記色相比較回路の比較結果に基づいて、前記ＯＳＤ信号の色相を制御する色相制御回路とを備えたことを特徴とするＯＳＤ表示装置。
【請求項２】
表示画像の上にＯＳＤ表示として任意の画像または文字を上描き表示させるＯＳＤ表示装置であって、
前記ＯＳＤ表示の情報となるＯＳＤ信号を生成するＯＳＤ生成回路と、
前記表示画像上の前記ＯＳＤ表示周辺の色相および輝度に関する情報を抜き取る抜き取り回路と、
前記抜き取り回路により抜き取られた情報と前記ＯＳＤ生成回路の生成するＯＳＤ信号の色相および輝度とを比較する色相・輝度比較回路と、
前記色相・輝度比較回路の比較結果に基づいて、前記ＯＳＤ信号の色相および輝度を制御する色相・輝度制御回路とを備えたことを特徴とするＯＳＤ表示装置。
【請求項３】
表示画像の上にＯＳＤ表示として任意の画像または文字を上描き表示させるＯＳＤ表示装置であって、
前記ＯＳＤ表示の情報となるＯＳＤ信号を生成するＯＳＤ生成回路と、
前記表示画像上の前記ＯＳＤ表示周辺の色相に関する情報を抜き取る抜き取り回路と、
前記抜き取り回路により抜き取られた情報の色相を検出する色相検出回路とを備え、
前記ＯＳＤ生成回路は、前記色相検出回路により検出された色相の情報に基づいて、生成するＯＳＤ信号の色相を制御することを特徴とするＯＳＤ表示装置。
【請求項４】
請求項１，２または３記載のＯＳＤ表示装置において、
前記表示画像の前記ＯＳＤ表示によって隠れる部分の情報をマスクするマスク回路を備え、
前記抜き取り回路は、前記マスク回路により前記ＯＳＤ表示によって隠れる部分の情報がマスクされた前記表示画像から情報を抜き取ることを特徴とするＯＳＤ表示装置。
【請求項５】
請求項４記載のＯＳＤ表示装置において、
前記ＯＳＤ生成回路は、前記ＯＳＤ信号を生成する際、前記ＯＳＤ信号によるＯＳＤ表示の表示領域を含む矩形範囲のマスク信号を生成し、前記マスク信号を前記マスク回路のマスク情報とすることを特徴とするＯＳＤ表示装置。
【発明の詳細な説明】
【技術分野】
【０００１】
本発明は、カラーテレビ、カラーディスプレイ装置などの画像表示機器の表示画像の上に任意の文字または画像を上描き表示する、ＯＳＤ（オン・スクリーン・ディスプレイ）表示装置に関し、特に、背景画像に対するＯＳＤ表示の色相制御に適用して有効な技術に関するものである。
【背景技術】
【０００２】
テレビジョン受像機の表示画像上に、任意の文字、画像を上描き表示するＯＳＤ技術は従来より種々考案されており、例えば、表示画像の色相を検出し、上描き表示するＯＳＤ画像を表示画像の色相に対して対比させ、背景の表示画像に溶け込ませないで、鮮明に表示できるように工夫した画像データＯＳＤ回路があった（例えば、特許文献１参照）。
【特許文献１】特公平７−１２３３０６号公報
【発明の開示】
【発明が解決しようとする課題】
【０００３】
しかしながら、特許文献１記載のものでは、色相検出を表示画像の画面全体の映像信号から検出するようになっており、画面全体の色相を平均値検出してしまうために、例えば画面の一部に局所的に任意の文字、画像を上描き表示する（ＯＳＤ表示）ような場合は、必ずしもＯＳＤ表示部周辺の色相が画面全体の平均色相と等しくないため、ＯＳＤ表示の色相が背景表示画像の色相と近い場合にＯＳＤが背景に溶け込んでしまうことがある。
【０００４】
そこで、本発明の目的は、上記問題点を解消し、局所的なＯＳＤ表示を行う際にも、周辺の背景画像に溶け込まないようなＯＳＤ表示装置を提供することにある。
【課題を解決するための手段】
【０００５】
本願において開示される発明のうち、代表的なものの概要を簡単に説明すれば、次のとおりである。
【０００６】
本発明によるＯＳＤ表示装置は、表示画像の上にＯＳＤ表示として任意の画像または文字を上描き表示させるＯＳＤ表示装置であって、ＯＳＤ表示の情報となるＯＳＤ信号を生成するＯＳＤ生成回路と、表示画像上のＯＳＤ表示周辺の色相に関する情報を抜き取る抜き取り回路と、抜き取り回路により抜き取られた情報とＯＳＤ生成回路の生成するＯＳＤ信号の色相を比較する色相比較回路と、色相比較回路の比較結果に基づいて、ＯＳＤ信号の色相を制御する色相制御回路とを備えたものである。
【０００７】
また、本発明によるＯＳＤ表示装置は、表示画像の上にＯＳＤ表示として任意の画像または文字を上描き表示させるＯＳＤ表示装置であって、ＯＳＤ表示の情報となるＯＳＤ信号を生成するＯＳＤ生成回路と、表示画像上のＯＳＤ表示周辺の色相および輝度に関する情報を抜き取る抜き取り回路と、抜き取り回路により抜き取られた情報とＯＳＤ生成回路の生成するＯＳＤ信号の色相および輝度を比較する色相・輝度比較回路と、色相・輝度比較回路の比較結果に基づいて、ＯＳＤ信号の色相および輝度を制御する色相・輝度制御回路とを備えたものである。
【０００８】
また、本発明によるＯＳＤ表示装置は、表示画像の上にＯＳＤ表示として任意の画像または文字を上描き表示させるＯＳＤ表示装置であって、ＯＳＤ表示の情報となるＯＳＤ信号を生成するＯＳＤ生成回路と、表示画像上のＯＳＤ表示周辺の色相に関する情報を抜き取る抜き取り回路と、抜き取り回路により抜き取られた情報の色相を検出する色相検出回路とを備え、ＯＳＤ生成回路は、色相検出回路により検出された色相の情報に基づいて、生成するＯＳＤ信号の色相を制御するものである。
【発明の効果】
【０００９】
本願において開示される発明のうち、代表的なものによって得られる効果を簡単に説明すれば以下のとおりである。
【００１０】
本発明によれば、ＯＳＤ表示領域周辺の表示画像を抜き取り、生成するＯＳＤ信号の色相を、抜き取ったＯＳＤ表示領域周辺の表示画像の色相に対して自動で制御することにより、どのような表示画像に対しても、ＯＳＤ表示部分周辺の背景に溶け込まない鮮明で見やすいＯＳＤ表示を行うことができる。
【００１１】
また、色相と同時に輝度制御も行うことにより、例えば、表示画像が明るい画像の場合にはＯＳＤの輝度を上げてより明るくし、逆に表示画像が暗い画像の場合にはＯＳＤの輝度を下げて暗くすることにより、ＯＳＤ表示の見かけ上のコントラストを一定に保つことができ、落ち着いた見やすいＯＳＤ表示を行うことができる。
【発明を実施するための最良の形態】
【００１２】
以下、本発明の実施の形態を図面に基づいて詳細に説明する。なお、実施の形態を説明するための全図において、同一の部材には原則として同一の符号を付し、その繰り返しの説明は省略する。
【００１３】
（実施の形態１）
＜ＯＳＤ表示装置の構成＞
図１により、本発明の実施の形態１に係るＯＳＤ表示装置の構成について説明する。図１は本発明の実施の形態１に係るＯＳＤ表示装置の構成を示す構成図である。
【００１４】
図１において、ＯＳＤ表示装置は、マトリクス回路８、ブランキング／ハーフトーン回路９、ＯＳＤ加算回路１０、ＯＳＤ生成回路１１、抜き取り回路１２、色相比較回路１３、色相制御回路１４、マトリクス回路１５から構成されている。
【００１５】
マトリクス回路８は、表示画像の輝度信号（Ｙ）と色差信号（Ｃb，Ｃr）が入力され、表示画像の輝度信号（Ｙ）と色差信号（Ｃb、Ｃr）から原色信号（Ｒ，Ｇ，Ｂ）を出力する。
【００１６】
ＯＳＤ生成回路１１は、表示画像上に付加するＯＳＤ表示の情報となるＯＳＤ信号を生成し、ＯＳＤ信号の輝度信号（Ｙ1）と色差信号（Ｃb1，Ｃr1）として出力する。また、ＯＳＤ生成回路１１からは、生成したＯＳＤ信号の背後に相当する部分を示すＯＳＤ背後領域の信号と、生成したＯＳＤ信号の周辺の抜き取るための抜き取り信号などによる周辺領域に相当する部分を示すＯＳＤ周辺領域の信号が出力されている。ＯＳＤ背後部分に相当するＯＳＤ背後領域の信号は元の表示画像からＯＳＤ表示に隠れる部分をマスクするのに使用される。
【００１７】
抜き取り回路１２は、表示画像の色差信号（Ｃb，Ｃr）が入力され、ＯＳＤ生成回路１１からのＯＳＤ周辺領域の信号に基づいて、表示画像上のＯＳＤ表示のＯＳＤ周辺領域を抜き取り、抜き取ったＯＳＤ表示の周辺領域のみの画像の色差信号（Ｃb'，Ｃr'）を出力する。この抜き取り処理としては、例えば、ＯＳＤ周辺領域の信号である抜き取り信号がハイレベル状態のときのみ信号を通過させることにより、画像の抜き取りを行う。
【００１８】
色相比較回路１３は、抜き取り回路１２からの色差信号（Ｃb'，Ｃr'）とＯＳＤ生成回路１１からの色差信号（Ｃb1，Ｃr1）が入力され、色差信号（Ｃb'，Ｃr'）と色差信号（Ｃb1，Ｃr1）の差分に相当する情報を出力する。この差分に相当する信号は、例えば、抜き取り回路１２により抜き取られたＯＳＤ周辺領域の画像の色差信号（Ｃb'，Ｃr'）の平均値とＯＳＤ生成回路１１から出力されたＯＳＤ表示画像の色差信号（Ｃb1，Ｃr1）の差分として出力される。
【００１９】
色相制御回路１４は、ＯＳＤ生成回路１１からのＯＳＤ信号の色差信号（Ｃb1，Ｃr1）が入力され、色相比較回路１３の出力する差分の相当する情報に応じて、入力されたＯＳＤ信号の色相を変化させ、色相を変化させた色差信号（Ｃb1'，Ｃr1'）を出力する。
【００２０】
例えば、色相比較回路１３の出力する情報の値に対して色相制御回路１４の色相制御量を反比例させるように設定しておけば、色相比較回路１３の出力が小さいとき（すなわち、表示画像のＯＳＤ周辺の色相とＯＳＤ信号の色相が近いとき）は、色相制御回路１４の色相制御量は大きくなり、色相制御回路１４から出力されるＯＳＤ信号の色相は表示画像のＯＳＤ周辺部の色相とは大きく異なったものとなって、ＯＳＤ表示は周辺画像に溶け込まずに鮮明に表示される。
【００２１】
逆に、色相比較回路１３の出力が大きい場合には色相制御回路１４の色相制御量は小さくなり、ＯＳＤ信号の色相は殆ど変化しないが、この場合、表示画像の色相とＯＳＤ生成回路１１で生成されたＯＳＤ信号の色相が元々大きく異なっていてＯＳＤ表示は元々充分に鮮明であるから、ＯＳＤ信号の色相制御量は小さくてよい。
【００２２】
マトリクス回路１５は、ＯＳＤ生成回路１１でからのＯＳＤ信号の輝度信号（Ｙ1）と色相制御回路１４からのＯＳＤ信号の色差信号（Ｃb1'，Ｃr1'）が入力され、ＯＳＤ表示の原色信号（Ｒ1，Ｇ1，Ｂ1）を出力する。
【００２３】
ブランキング／ハーフトーン回路９は、マトリクス回路８からの原色信号（Ｒ，Ｇ，Ｂ）とＯＳＤ生成回路１１からのＯＳＤ背後領域の信号が入力され、ＯＳＤ表示を鮮明にするためにＯＳＤ表示部分の画像を削除した原色信号（Ｒ'，Ｇ'，Ｂ'）（ブランキング）、または振幅を下げた原色信号（Ｒ'，Ｇ'，Ｂ'）（ハーフトーン）を出力する。
【００２４】
ＯＳＤ加算回路１０は、ブランキング／ハーフトーン回路９からのＯＳＤ表示部分がブランキングまたはハーフトーン処理された表示画像の原色信号（Ｒ'，Ｇ'，Ｂ'）とマトリクス回路１５からのＯＳＤ表示の原色信号（Ｒ1，Ｇ1，Ｂ1）が入力され、表示画像の原色信号（Ｒ'，Ｇ'，Ｂ'）とＯＳＤ表示の原色信号（Ｒ1，Ｇ1，Ｂ1）を加算し、ＯＳＤの付加された表示画像の原色信号（Ｒ"，Ｇ"，Ｂ"）として表示デバイスに出力する。
【００２５】
以上のように、実施の形態１では、表示画像の輝度信号（Ｙ）と色差信号（Ｃb，Ｃr）は、マトリクス回路８によってＲＧＢの原色信号（Ｒ，Ｇ，Ｂ）に変換され、ブランキング／ハーフトーン回路９によってＯＳＤの背後に相当する部分（ＯＳＤに隠れる部分）をマスクされた後、ＯＳＤ加算回路１０によって、色相制御回路１４で色相が制御されたＯＳＤ表示の原色信号（Ｒ1，Ｇ1，Ｂ1）が加算され、ＯＳＤの付加された表示画像となって表示デバイスに出力される。また、色相制御回路１４では、表示画像の中のＯＳＤ周辺領域の画像の色差信号（Ｃb'，Ｃr'）とＯＳＤ信号の色差信号（Ｃb1，Ｃr1）の差分に相当する情報に基づいて、色相の制御を行うため、表示画面中のＯＳＤ表示を行う周辺領域の色相に基づいたＯＳＤ表示の色相制御を行うことができ、どのような表示画像に対しても、ＯＳＤ表示部分周辺の背景に溶け込まない鮮明で見やすいＯＳＤ表示を行うことが可能である。
【００２６】
＜表示画面の具体例＞
次に、図２および図３により、本発明の実施の形態１に係るＯＳＤ表示装置による表示画面上のＯＳＤ表示の具体例について説明する。図２は本発明の実施の形態１に係るＯＳＤ表示装置による表示画面上のＯＳＤ表示の具体例を説明するための説明図、図３は本発明の実施の形態１に係るＯＳＤ表示装置による表示画面上のＯＳＤ表示周辺の拡大図である。
【００２７】
図２において、ＯＳＤ表示装置による表示画面１としては、画面全体的には赤系（図２の横線部分）の多い色相であるがＯＳＤ表示（この例では、「９」を表示）の周辺部分は緑系（図２の斜線部分）〜青系（図２の縦線部分）の色相の多い画像である。
【００２８】
また、ＯＳＤ表示としては、一例として、ＯＳＤ信号（水平周期）２とＯＳＤ信号（垂直周期）４に基づいて表示される。
【００２９】
また、ＯＳＤ表示の周辺部分を抜き取るためのＯＳＤ周辺領域の信号としては、一例として、抜き取り信号（水平周期）３と抜き取り信号（垂直周期）５からなり、この抜き取り信号は、ＯＳＤ表示部の周辺部分を抜き取るために、ＯＳＤ信号に基づいて設定され、ＯＳＤ表示より広い範囲を指定する信号となる。
【００３０】
図３の６に示す画像は、ＯＳＤ表示の「９」の表示色はデフォルトで緑系（図３のＯＳＤ表示内の斜線部分）である例を示し、この状態では、ＯＳＤ表示の色相は、周辺部分の緑系（図３の斜線部分）〜青系（図３の縦線部分）の周辺画像の色相に近く、ＯＳＤ表示が周辺画像に溶け込んでしまって判別し難くなってしまっている。
【００３１】
図３の７に示す画像は、ＯＳＤ信号に色相制御回路１４により、色相制御を掛けてＯＳＤ表示を鮮明に表示した例を示し、ＯＳＤ表示の「９」の表示色は赤系（図３のＯＳＤ表示内の横線部分）に色相制御され、この状態では、ＯＳＤ表示の色相は、周辺部分の緑系（図３の斜線部分）〜青系（図３の縦線部分）の周辺画像の色相とは異なり、ＯＳＤ表示が周辺画像に溶け込むことなく、鮮明に表示されている。
【００３２】
図２に示す例では、表示画像１は、その画面全体としては、赤色成分の多い画像であるがＯＳＤ表示部周辺に限ってみれば青成分や緑成分の多い画像である。このような画像において、ＯＳＤ生成回路１１からのＯＳＤ信号２，４に対して、抜き取り信号３，５のようなＯＳＤ表示部分よりも水平および垂直方向にやや広いパルス信号を生成し、この抜き取り信号３，５を使用して元の表示画像からＯＳＤ周辺部の画像を抜き取り、ＯＳＤ周辺部の画像（図３のＯＳＤ表示の背景部分の画像）を得る。
【００３３】
このＯＳＤ周辺部の画像から平均色相を検出することにより、ＯＳＤ周辺部分に限定した色相情報を得る。図２に示す例では、ＯＳＤ周辺部分は緑系〜青系の色相が多いので、平均色相も緑系〜青系の色相情報となる。この色相情報と元のＯＳＤ信号の色相を比較し、この比較結果に応じてＯＳＤ信号の色相を任意に変化させることにより（図３に示す例では、緑系から赤系に変化）、表示画像がどのような画像であってもＯＳＤ表示を周辺画像に溶け込ませず、常に、図３の７に示すように、鮮明に表示させることができる（当然ながら逆に敢えてＯＳＤ表示を周辺画像に溶け込ませるようにすることも可能である）。
【００３４】
（実施の形態２）
実施の形態２は、実施の形態１において、ＯＳＤ信号の色相と同時に輝度も制御するものである。
【００３５】
＜ＯＳＤ表示装置の構成＞
図４により、本発明の実施の形態２に係るＯＳＤ表示装置の構成について説明する。図４は本発明の実施の形態２に係るＯＳＤ表示装置の構成を示す構成図である。
【００３６】
図４において、ＯＳＤ表示装置は、マトリクス回路８、ブランキング／ハーフトーン回路９、ＯＳＤ加算回路１０、ＯＳＤ生成回路１１、抜き取り回路１２、色相・輝度比較回路１６、色相・輝度制御回路１７、マトリクス回路１５から構成されている。
【００３７】
抜き取り回路１２、色相・輝度比較回路１６および色相・輝度制御回路１７以外の構成は、実施の形態１と同じ構成であり、動作も同じである。
【００３８】
抜き取り回路１２は、表示画像の輝度信号（Ｙ）および色差信号（Ｃb，Ｃr）が入力され、ＯＳＤ生成回路１１からのＯＳＤ周辺領域の信号に基づいて、表示画像上のＯＳＤ表示のＯＳＤ周辺領域を抜き取り、抜き取ったＯＳＤ表示の周辺領域のみの画像の輝度信号（Ｙ'）および色差信号（Ｃb'，Ｃr'）を出力する。この抜き取り処理としては、例えば、ＯＳＤ周辺領域の信号である抜き取り信号がハイレベル状態のときのみ信号を通過させることにより、画像の抜き取りを行う。
【００３９】
色相・輝度比較回路１６は、抜き取り回路１２からの輝度信号（Ｙ'）および色差信号（Ｃb'，Ｃr'）とＯＳＤ生成回路１１からの輝度信号（Ｙ1）および色差信号（Ｃb1，Ｃr1）が入力され、輝度信号（Ｙ'）と色差信号（Ｃb'，Ｃr'）の差分に相当する情報と、色差信号（Ｃb'，Ｃr'）と色差信号（Ｃb1，Ｃr1）の差分に相当する情報を出力する。この差分に相当する信号は、例えば、抜き取り回路１２により抜き取られたＯＳＤ周辺領域の画像の輝度信号（Ｙ'）の平均値とＯＳＤ生成回路１１から出力されたＯＳＤ表示画像の輝度信号（Ｙ1）の差分と、抜き取り回路１２により抜き取られたＯＳＤ周辺領域の画像の色差信号（Ｃb'，Ｃr'）の平均値とＯＳＤ生成回路１１から出力されたＯＳＤ表示画像の色差信号（Ｃb1，Ｃr1）の差分として出力される。
【００４０】
色相・輝度制御回路１７は、ＯＳＤ生成回路１１からのＯＳＤ信号の輝度信号（Ｙ1）および色差信号（Ｃb1，Ｃr1）が入力され、色相・輝度比較回路１６の出力する差分の相当する情報に応じて、入力されたＯＳＤ信号の色相と輝度を変化させ、輝度を変化させた輝度信号（Ｙ1'）と色相を変化させた色差信号（Ｃb1'，Ｃr1'）を出力する。
【００４１】
例えば、色相・輝度比較回路１６の出力する情報の値に対して色相・輝度制御回路１７の色相制御量は反比例させ、輝度制御量はＯＳＤ信号の輝度が表示画像のＯＳＤ周辺部の輝度と同程度の輝度となるように比例させるように設定しておけば、色相・輝度比較回路１６の出力が小さいとき（すなわち、表示画像のＯＳＤ周辺の色相・輝度とＯＳＤ信号の色相・輝度が近いとき）は、色相・輝度制御回路１７の色相制御量は大きくなり、輝度制御量は小さくなり、色相・輝度制御回路１７から出力されるＯＳＤ信号の色相は表示画像のＯＳＤ周辺部の色相とは大きく異なったものとなり、色相・輝度制御回路１７から出力されるＯＳＤ信号の輝度は表示画像のＯＳＤ周辺部の輝度と同程度の輝度のものとなって、ＯＳＤ表示は周辺画像に溶け込まずに鮮明に表示され、輝度も表示画像のＯＳＤ周辺部の輝度と同程度の輝度となり、見やすいＯＳＤ表示となる。
【００４２】
逆に、色相・輝度比較回路１６の出力が大きい場合には色相・輝度制御回路１７の色相制御量は小さくなり、輝度制御量は輝度制御量はＯＳＤ信号の輝度が表示画像のＯＳＤ周辺部の輝度と同程度の輝度となる方向に大きくなり、ＯＳＤ信号の色相は殆ど変化しないが、この場合、表示画像の色相とＯＳＤ生成回路１１で生成されたＯＳＤ信号の色相が元々大きく異なっていてＯＳＤ表示は元々充分に鮮明であるから、ＯＳＤ信号の色相制御量は小さくてよい。輝度については、ＯＳＤ信号の輝度が表示画像のＯＳＤ周辺部の輝度と同程度の輝度となる方向に大きくなるので、ＯＳＤ信号の輝度が表示画像のＯＳＤ周辺部の輝度と同程度の輝度となり、見やすいＯＳＤ表示となる。
【００４３】
以上のように、実施の形態２では、表示画像の輝度信号を、実施の形態１での色差信号と同様に抜き取り回路１２に入力し、実施の形態１の色相比較回路１３の代わりに色相・輝度比較回路１６を設け、実施の形態１の色相制御回路１４の代わりに色相・輝度制御回路１７を設けている。
【００４４】
色相・輝度比較回路１６は抜き取り回路１２の出力する輝度信号と色差信号、ＯＳＤ信号の輝度信号と色差信号を入力してこれらをそれぞれ比較し、この差分に相当する情報を出力する。色相・輝度制御回路１７はＯＳＤ信号の輝度信号と色差信号を入力し、色相・輝度比較回路１６の出力する情報に応じてＯＳＤ信号の輝度と色相を制御する。色相と同時に輝度制御も行うことにより、例えば、表示画像が明るい画像の場合にはＯＳＤの輝度を上げてより明るくし、逆に表示画像が暗い画像の場合にはＯＳＤの輝度を下げて暗くすることにより、ＯＳＤ表示の見かけ上のコントラストを一定に保つことができ、落ち着いた見やすいＯＳＤ表示を行うことができるようになる。
【００４５】
（実施の形態３）
実施の形態３は、実施の形態１および実施の形態２において、表示画像を検出するにあたり、ＯＳＤによって隠れる部分の画像をあらかじめマスクして（除外して）、この部分の色相（および輝度）を検出しないようにしたものである。
【００４６】
＜ＯＳＤ表示装置の構成＞
図５〜図７により、本発明の実施の形態３に係るＯＳＤ表示装置の構成について説明する。図５は本発明の実施の形態３に係るＯＳＤ表示装置の構成の一例を示す構成図、図６は本発明の実施の形態３に係るＯＳＤ表示装置の構成の他の例を示す構成図、図７は本発明の実施の形態３に係るＯＳＤ表示装置のマスク処理を説明するための説明図である。
【００４７】
図５において、ＯＳＤ表示装置は、マトリクス回路８、ブランキング／ハーフトーン回路９、ＯＳＤ加算回路１０、ＯＳＤ生成回路１１、抜き取り回路１２、色相比較回路１３、色相制御回路１４、マトリクス回路１５、マスク回路１９から構成されている。
【００４８】
マスク回路１９以外の構成は、実施の形態１と同じ構成であり、表示画像の色差信号（Ｃb，Ｃr）が入力されるマスク回路１９から出力される色差信号（Ｃb'，Ｃr'）が抜き取り回路１２に入力される以外の動作は実施の形態１と同じである。
【００４９】
マスク回路１９は、表示画像の色差信号（Ｃb，Ｃr）と表示画像のブランキング／ハーフトーンに使用しているＯＳＤ生成回路１１からのＯＳＤ背後領域の信号が入力され、表示画像からＯＳＤ背後領域の部分をマスクした色差信号（Ｃb'，Ｃr'）を出力する。このマスク回路１９によりマスクされた部分は色差信号としての情報が無くなり、色相比較回路１３においての色差信号の差分演算から除外される。このマスク処理としては、例えば、ＯＳＤ背後領域の信号がハイレベル状態のときに信号を通過させないようにして、画像のマスクを行う。
【００５０】
このマスク回路１９から出力された色差信号（Ｃb'，Ｃr'）が抜き取り回路１２に入力され、抜き取り回路１２から出力される色差信号（Ｃb"，Ｃr"）の画像としては、図７に示すように、ＯＳＤの周辺部分の画像からＯＳＤ表示部分（図７の白抜き部分）が除外された画像となる。
【００５１】
図６において、ＯＳＤ表示装置は、マトリクス回路８、ブランキング／ハーフトーン回路９、ＯＳＤ加算回路１０、ＯＳＤ生成回路１１、抜き取り回路１２、色相比較回路１３、色相制御回路１４、マトリクス回路１５、マスク回路１９、ＯＲ回路２０から構成されている。
【００５２】
ＯＳＤ生成回路１１、マスク回路１９およびＯＲ回路２０以外の構成は、実施の形態１と同じ構成であり、マスク回路１９から出力される輝度信号（Ｙ'）および色差信号（Ｃb'，Ｃr'）が抜き取り回路１２に入力され、ＯＳＤ生成回路１１から出力されるＯＳＤ背後信号の代わりに、ＯＳＤ生成回路１１から出力されるＯＳＤ信号の輝度信号（Ｙ1）および色差信号（Ｃb1，Ｃr1）をＯＲ回路２０に入力し、ＯＲ回路２０の出力信号を用いる以外の動作は実施の形態１と同じである。
【００５３】
図６に示す例では、ＯＳＤ生成回路１１は、ＯＳＤ背後領域の信号は出力せず、ＯＳＤ周辺領域の信号と、ＯＳＤ信号の輝度信号（Ｙ1）および色差信号（Ｃb1，Ｃr1）を出力している。そして、ＯＳＤ背後領域の信号の代わりとして、ＯＳＤ信号の輝度信号（Ｙ1）および色差信号（Ｃb1，Ｃr1）が入力されたＯＲ回路２０の出力信号を用いている。ＯＳＤ信号の輝度または色差信号の何れか１つ以上が０でないとき、必ずＯＳＤ表示が存在しているため、ＯＳＤ信号をＯＲ回路２０に入力することで、ＯＳＤ背後領域としてマスク用の信号を得ることができる。
【００５４】
マスク回路１９は、表示画像の輝度信号（Ｙ）および色差信号（Ｃb，Ｃr）とＯＲ回路２０の出力信号が入力され、表示画像からＯＳＤ背後領域の部分をマスクした色差信号（Ｃb'，Ｃr'）を出力する。このマスク回路１９によりマスクされた部分は輝度信号および色差信号としての情報が無くなり、色相・輝度比較回路１６においての輝度信号および色差信号の差分演算から除外される。このマスク処理としては、例えば、ＯＲ回路２０の出力信号がハイレベル状態のときに信号を通過させないようにして、画像のマスクを行う。
【００５５】
以上のように、実施の形態３では、ＯＳＤ表示によって隠れる部分の表示画像の情報は、表示デバイスに表示される際には見えなくなってしまう部分であるから、表示画像のこの部分の情報はあらかじめ除外しておくことにより、より精度の高い検出ができる。
【００５６】
特に、表示画像情報の検出をＯＳＤ表示周辺部に限定しているので、図７に示すように画像情報検出範囲に占めるＯＳＤ領域（図７の白抜き部分）が大きいため、ＯＳＤ表示によって隠れる部分の表示画像を除外することにより、画像情報検出の精度を大きく上げることができる。従って、ＯＳＤ信号の色相制御や輝度制御をより適正に行うことができる。
【００５７】
なお、実施の形態３では、図１に示す実施の形態１の構成にマスク回路１９を追加した構成および図４に示す実施の形態２の構成に、マスク回路１９とＯＲ回路２０を追加した例で説明したが、図１に示す実施の形態１の構成にマスク回路１９およびＯＲ回路２０を追加した構成および図４に示す実施の形態２の構成に、マスク回路１９を追加した構成にしてもよい。
【００５８】
（実施の形態４）
実施の形態４は、実施の形態３の図５に示す構成において、マスク回路１９に入力するＯＳＤ背後領域の代わりに、ＯＳＤ生成回路１１からマスク用のマスク信号を出力させ、そのマスク信号を入力するようにしたものである。
【００５９】
＜ＯＳＤ表示装置の構成＞
図８および図９により、本発明の実施の形態４に係るＯＳＤ表示装置の構成について説明する。図８は本発明の実施の形態４に係るＯＳＤ表示装置の構成を示す構成図、図９は本発明の実施の形態４に係るＯＳＤ表示装置の抜き取り画像を説明するための説明図である。
【００６０】
図８において、ＯＳＤ表示装置は、マトリクス回路８、ブランキング／ハーフトーン回路９、ＯＳＤ加算回路１０、ＯＳＤ生成回路１１、抜き取り回路１２、色相比較回路１３、色相制御回路１４、マトリクス回路１５、マスク回路１９から構成されている。
【００６１】
ＯＳＤ生成回路１１からマスク用のマスク信号が出力され、そのマスク信号が、マスク回路１９に入力される以外の構成は、実施の形態３の図５に示す構成と同じ構成であり、マスク回路１９が表示画像の色差信号（Ｃb，Ｃr）とマスク信号により、表示画像からマスク信号による領域の部分をマスクした色差信号（Ｃb'，Ｃr'）を出力する以外の動作は実施の形態３の図５に示す構成の動作と同じである。
【００６２】
ＯＳＤ生成回路１１は、ＯＳＤ信号と同時にマスク用の信号も生成する。生成されるマスク信号は、例えば、図９に示すように、ＯＳＤ信号（水平周期）２とＯＳＤ信号（垂直周期）４、抜き取り信号（水平周期）３、抜き取り信号（垂直周期）５に対して、マスク信号（水平周期）２２およびマスク信号（垂直周期）２３として生成され、図９に示す例では、ＯＳＤ表示の領域を含むような矩形領域（図９の白抜き部分）がマスク領域となる。
【００６３】
このマスク回路１９から出力された色差信号（Ｃb'，Ｃr'）が抜き取り回路１２に入力され、抜き取り回路１２から出力される色差信号（Ｃb"，Ｃr"）の画像としては、図９の２１に示すように、ＯＳＤの周辺部分の画像からＯＳＤ表示部分を含む矩形領域（図９の白抜き部分）が除外された画像となる。
【００６４】
以上のように、実施の形態４では、ＯＳＤ表示によって隠れる部分とその付近の表示画像の情報は、表示デバイスに表示される際には見えなくなってしまう部分または見えにくい部分であるから、表示画像のこの部分の情報はあらかじめ除外しておくことにより、より精度の高い検出ができる。
【００６５】
（実施の形態５）
実施の形態５は、実施の形態３の図５に示す構成において、色相制御回路１４の処理をＯＳＤ生成回路１１内部で行うようにしたものである。
【００６６】
＜ＯＳＤ表示装置の構成＞
図１０により、本発明の実施の形態５に係るＯＳＤ表示装置の構成について説明する。図１０は本発明の実施の形態５に係るＯＳＤ表示装置の構成を示す構成図である。
【００６７】
図１０において、ＯＳＤ表示装置は、マトリクス回路８、ブランキング／ハーフトーン回路９、ＯＳＤ加算回路１０、ＯＳＤ生成回路２５、抜き取り回路１２、色相検出回路２４、マトリクス回路１５、マスク回路１９から構成されている。
【００６８】
抜き取り回路１２から出力される色差信号（Ｃb"，Ｃr"）が色相検出回路２４に入力され、色相検出回路２４から出力される色相情報の信号がＯＳＤ生成回路２５に入力される以外の構成は、実施の形態３の図５に示す構成と同じ構成であり、ＯＳＤ生成回路２５が、色相検出回路２４からの色相情報に基づいて、内部のＯＳＤ色制御回路により、ＯＳＤ表示の色相を制御し、ＯＳＤ信号の輝度信号（Ｙ1）および色差信号（Ｃb1，Ｃr1）を出力する以外の動作は実施の形態３の図５に示す構成の動作と同じである。
【００６９】
ＯＳＤ生成回路２５は、内部にＯＳＤ色制御回路を有し、ＯＳＤ色を任意に設定することができる。ＯＳＤ生成回路２５には、色相検出回路２４から出力されたＯＳＤ周辺部分の色相情報が入力され、ＯＳＤ周辺部分の色相情報に基づいて、ＯＳＤ信号の色相を設定し、ＯＳＤ信号として出力する。
【００７０】
色相検出回路２４は、抜き取り回路１２から出力されたＯＳＤ周辺部分の色差信号（Ｃb"，Ｃr"）の情報を入力され、この入力情報からＯＳＤ周辺部分の色相情報を出力する。出力する色相情報としては、例えば、抜き取り回路１２により抜き取られたＯＳＤ周辺領域の画像の色差信号（Ｃb'，Ｃr'）の平均値の情報が出力される。
【００７１】
この色相検出回路２４から出力される色相情報がＯＳＤ生成回路２５に入力され、ＯＳＤ生成回路では内部でＯＳＤ色を任意に設定可能で、色相検出回路２４より出力される色相情報に応じてＯＳＤ色を制御するように設定し、例えば色相検出回路２４の色相情報を反転させた色相のＯＳＤを出力するようにするように設定すれば、常にＯＳＤを周辺画像の色相に対して反対の色相で表示できるので、どのような表示画像に対してもＯＳＤを周辺画像に溶け込ませずに鮮明に表示できる。
【００７２】
なお、ＯＳＤ生成回路２５での色相の設定は、実施の形態１の色相制御回路１４の色相制御動作と同様に、標準のＯＳＤ色に対して、色相検出回路２４から出力される色相情報の差分を取り、その差分の情報の値に対して色相制御量を反比例させるように設定してもよい。
【００７３】
以上のように、実施の形態５では、ＯＳＤの色の制御をＯＳＤ生成回路２５内で行うため、ＯＳＤ生成回路２５から出力されるＯＳＤ信号の色相を、ＯＳＤを周辺画像に溶け込ませずに鮮明に表示できる色相となるようにすることができる。
【００７４】
なお、実施の形態５では、実施の形態３の図５に示す構成において、色相制御回路１４の処理をＯＳＤ生成回路１１内部で行うようにした例で説明したが、実施の形態１，２，４において、色相検出回路２４や、色相・輝度検出回路を設け、ＯＳＤ生成回路２５内でＯＳＤ色制御を行うようにしてもよい。
【００７５】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００７６】
本発明は、画面上の所定部分に任意の画像を表示するテレビジョン受像機およびＰＣモニタ等の表示装置に適用できる。
【図面の簡単な説明】
【００７７】
【図１】本発明の実施の形態１に係るＯＳＤ表示装置の構成を示す構成図である。
【図２】本発明の実施の形態１に係るＯＳＤ表示装置による表示画面上のＯＳＤ表示の具体例を説明するための説明図である。
【図３】本発明の実施の形態１に係るＯＳＤ表示装置による表示画面上のＯＳＤ表示周辺の拡大図である。
【図４】本発明の実施の形態２に係るＯＳＤ表示装置の構成を示す構成図である。
【図５】本発明の実施の形態３に係るＯＳＤ表示装置の構成の一例を示す構成図である。
【図６】本発明の実施の形態３に係るＯＳＤ表示装置の構成の他の例を示す構成図である。
【図７】本発明の実施の形態３に係るＯＳＤ表示装置のマスク処理を説明するための説明図である。
【図８】本発明の実施の形態４に係るＯＳＤ表示装置の構成を示す構成図である。
【図９】本発明の実施の形態４に係るＯＳＤ表示装置の抜き取り画像を説明するための説明図である。
【図１０】本発明の実施の形態５に係るＯＳＤ表示装置の構成を示す構成図である。
【符号の説明】
【００７８】
１…表示画面、２…ＯＳＤ信号（水平周期）、３…抜き取り信号（水平周期）、４…ＯＳＤ信号（垂直周期）、５…抜き取り信号（垂直周期）、６，７…ＯＳＤ周辺画像、８…マトリクス回路、９…ブランキング／ハーフトーン回路、１０…ＯＳＤ加算回路、１１…ＯＳＤ生成回路、１２…抜き取り回路、１３…色相比較回路、１４…色相制御回路、１５…マトリクス回路、１６…色相・輝度比較回路、１７…色相・輝度制御回路、１９…マスク回路、２０…ＯＲ回路、２４…色相検出回路、２５…ＯＳＤ生成回路。
【図１】
2006033667.tif 000003
【図４】
2006033667.tif 000004
【図５】
2006033667.tif 000005
【図６】
2006033667.tif 000006
【図８】
2006033667.tif 000007
【図１０】
2006033667.tif 000008
【図２】
2006033667.tif 000009
【図３】
2006033667.tif 000010
【図７】
2006033667.tif 000011
【図９】
2006033667.tif 000012